(57)【要約】【課題】構造が簡易で組立、分解が簡単で、異なる成長段階で使用し、且つ携帯可能な着脱可能二層ベビーベッド構造を提供する。      【解決手段】着脱可能二層ベビーベッド構造は、親ベッドと子ベッドから構成される。親ベッドは深く、子ベッドは浅く、子ベッドは親ベッド上方開口で着脱し、そこに乳幼児を置く。子ベッド本体は軟質材で作られ、子ベッド上方開口周辺縁に複数の管カバーが成形され、そこに周辺縁管体を入れて子ベッドを支持する。子ベッド設置には、複数個の調節式フックユニットを使い、各調節式フックユニットにはフックひとつとフックベルトひとつを含む。そのうちフックベルトは数本のミシン線によって調節のための支持部が形成され、それぞれ各部分の周辺縁管体を支持部に入れるもので、これらの調節式フックユニットは親ベッド上方開口の周辺縁に掛合されて子ベッドが親ベッド上方に固定される。【選択図】図１  
0003104103.tif 000002
【実用新案登録請求の範囲】
【請求項１】
親ベッドと子ベッドを含み、親ベッドは深く、子ベッドは浅く、親ベッド上方開口で着脱し、そこに乳幼児を置く着脱可能二層ベビーベッド構造において、
子ベッドは軟質材で作られ、子ベッド上方開口周辺縁に複数の管カバーが成形され、そこに周辺縁管体を入れて子ベッドを支持するもので、
また、他に複数個の調節式フックユニットが設置され、各調節式フックユニットにはフックひとつとフックベルトを含み、そのうちフックベルトは数本のミシン線によって調節のための支持部が形成され、それぞれ各部分の周辺縁管体を支持部に入れるもので、これらの調節式フックユニットは親ベッド上方開口の周辺縁に掛合されて子ベッドが親ベッド上方に固定されることを特徴とする着脱可能二層ベビーベッド構造。
【請求項２】
前記子ベッドは、底部にも複数の管カバーが成形され、そこに底部管体を入れることを特徴とする請求項１記載の着脱可能二層ベビーベッド構造。
【請求項３】
前記周辺縁管体は、二本がＵ型の周辺縁管体で、それに対応する子ベッドの両側上端の管カバーもＵ型であり、そこにＵ型周辺縁管体を入れることを特徴とする請求項１記載の着脱可能二層ベビーベッド構造。
【請求項４】
前記着脱可能二層ベビーベッド構造は、軟質ベッドシートが子ベッド内底部に設置されることを特徴とする請求項１記載の着脱可能二層ベビーベッド構造。
【考案の詳細な説明】
【技術分野】
【０００１】
本考案は、着脱可能二層ベビーベッド構造に関するもので、親子二種のベッドの着脱が簡易なものである。
【背景技術】
【０００２】
乳幼児を連れて外出する時、ベビーカーもしくは一般の折畳ベッドを携帯するが、どちらにも問題点が残る。ベビーカーの場合、オムツ換えをするには空間が足りない。
また、折畳ベッドの場合、乳幼児がベッド内から這い出て落ちることを防止する構造になっているため、ベッド周辺の柵は一般に高く設計されている。しかし、ベッドから落ちることは防止できるが、子どもを抱いて置いたり、出したりする大人にとって、腰を大きく曲げなければならず、非常に不便である。
【考案の開示】
【考案が解決しようとする課題】
【０００３】
公知に附加二層ベビーベッド構造があり、それは親ベッドと子ベッドを含み、親ベッドは深く、子ベッドは浅い。この子ベッドを親ベッド上方に設置し、そこにベビーを置く。この子ベッドは軟質材で作られ、子ベッドの対応する両側上端にそれぞれ袖カバーを設置する。別にベッド底部には複数の粘着ベルトを設置し、子ベッド上端周辺縁には複数のフックを設置する。子ベッドの各袖カバーに管体を入れ、別の管体をベッドそこの粘着ベルトで固定する。これらのフックによって、親ベッド上端周辺縁に子ベッドを固定する。
【特許文献１】台湾特許第３２７７７０号
【課題を解決するための手段】
【０００４】
解決しようとする問題点は、ベッドの柵が高く設計されているため、乳幼児の世話をする使用者が子どもをベッドへ置いたり、出したりする時に大変な労力を使う点である。
【考案の効果】
【０００５】
本考案は、親ベッドと子ベッドから構成される。親ベッドは深く、子ベッドは浅く、子ベッドは親ベッド上方開口で着脱し、そこに乳幼児を置く。子ベッド本体は軟質材で作られ、子ベッド上方開口周辺縁に複数の管カバーが成形され、そこに周辺縁管体を入れて子ベッドを支持する。子ベッド設置には、複数個の調節式フックユニットを使い、各調節式フックユニットにはフックひとつとフックベルトひとつを含む。そのうちフックベルトは数本のミシン線によって調節のための支持部が形成され、それぞれ各部分の周辺縁管体を支持部に入れるもので、これらの調節式フックユニットは親ベッド上方開口の周辺縁に掛合されて子ベッドが親ベッド上方に固定されることを最も主要な特徴とする。
【考案を実施するための最良の形態】
【０００６】
本考案の着脱可能二層ベビーベッド構造は、構造が簡単で、組立、分解が易しく、且つ異なる成長段階の乳幼児に使用でき、更に体積が小さく、軟質構造で携帯しやすいという利点がある。
【０００７】
図１に示すとおり、本考案は、親ベッド２と子ベッド１から構成され、親ベッド２は深さが深いため、歩き始めのような大きな乳幼児に使用する。子どもは中で遊ぶこともできる。子ベッド１の深さは浅く、子ベッド１は親ベッド２の開口に設置する。図２に示すのは、子ベッド１を取外した親ベッド２の立体指示図である。軟質ベッドシート３を子ベッド１内底部に設置し、そこに小さな乳児を寝かせる（図５参照）。
【０００８】
図３に示すとおり、本考案の子ベッド１１は、軟質材から作られ、子ベッド１上方開口周辺縁には複数の管カバー１２ａ、１２ｂが成形され、そこに数本の周辺縁管体１３ａ、１３ｂを挿入し、それによって子ベッド１を支える。子ベッドの相対する管カバー１２ｂはＵ型で、中にはＵ型の管体１３ｂが入る。それにより、子ベッド１の水平面支持力が向上する。本図式では二本の周辺縁管体１３ａを結合して一本の管体にしているが、それは説明を行うためであり、本考案を制限するものではない。当然数本の周辺縁管体を一本の長管にする、もしくは一本の長い管体を単一で使用しても本考案の機能目的は達成される。
【０００９】
子ベッド1の底部には複数の管カバー１５が設置され、そこに底部管体１４を入れる。本説明の図では二本の管体１４を結合して一本の長管にしているが、それは説明のための例に過ぎず、本考案を制限するものではない。当然三本以上の管体を一本の長管してもよく、且つ一本の長い管体を単一で用いても同じ機能目的が達成される。
【００１０】
本考案では更に複数個の調節式フックユニット１６が含まれる。この各調節式フックユニット１６は、フック１６１、フックベルト１６２を具える。図４の局部拡大図に示すとおり、このフックベルト１６２は数本のミシン線によって調節式支持部１６２´、１６２´´数個が区分され、そこに周辺縁管体１３ａが入る。これらの調節式フックユニット１６のフック１６１は、親ベッド２上方開口の周辺縁２１に掛着され、子ベッド１を親ベッド２の上方に固定する(図２参照)。
【００１１】
使用する時、図１及び図４に示すとおり、子ベッド１を深い位置に設置したい場合、周辺縁管体１３ａを下方の支持部１６２´に置く。また、乳児が小さく、浅い位置に子ベッド１を設置したい時には、周辺縁管体１３ａを上方の支持部１６２´´に置く(図４の点線参照)。このようにして、本考案は異なる成長段階の乳幼児に使用し、使用者が自在にベッドの深さを調整する。
【００１２】
子ベッド1を使用する時、図５に示すとおり、使用者は楽に乳幼児を子ベッド1に寝かせることができる。子供が大きくなったときには子ベッド1を取り除き、親ベッド２だけで使用する。
【図面の簡単な説明】
【００１３】
【図１】本考案の親子ベッドを分離した立体組立図である。
【図２】図１組立後にベッドシートを設置下立体指示図である。
【図３】本考案の子ベッド分解組立立体図である。
【図４】本考案の調節式フックユニット局部拡大図である。
【図５】本考案の使用状態参考図である。
【符号の説明】
【００１４】
１        子ベッド
１１        子ベッド本体
１２ａ      子ベッド上方周辺縁管カバー
１２ｂ      子ベッド上方周辺縁管カバー
１３ａ      周辺管
１３ｂ      周辺管
１４        底部管
１５        底部管カバー
１６        調節式フックユニット
１６１        フック
１６２        フックベルト
１６２        支持部
１６２        支持部
２        親ベッド
２１        親ベッド上方周辺縁
３        軟質ベッドシート
【図１】
0003104103.tif 000003
【図２】
0003104103.tif 000004
【図３】
0003104103.tif 000005
【図４】
0003104103.tif 000006
【図５】
0003104103.tif 000007